(57)【要約】【課題】大掛かりな作業機材を使用することなく、管路内面とケーブルの固着部分を解放することができる管路内布設ケーブル引抜き前処理治具及び工法を提供する。【解決手段】管路２０内に挿入できる外径と、管路内に布設されたケーブル２２を挿通できる内径を有する筒体１２の少なくとも一端側にワイヤー接続部１４を設けた治具１０を使用する。管路２０内に布設されたケーブル２２を引き抜くのに先立って、管路２０の一端側で、治具１０のワイヤー接続部１４に管路内に通したワイヤー２６を接続すると共に、治具１０の筒体１２にケーブル２２を挿通する。その後、管路２０の他端側でワイヤー２６を牽引することにより治具１０を管路２０の一端側から他端側まで移動させ、これによって管路２０内面とケーブル２２の固着部分２４を解放する。【選択図】図２
2007215284.tif 000002
【特許請求の範囲】
【請求項１】
管路内に挿入できる外径と、管路内に布設されたケーブルを挿通できる内径を有する筒体の少なくとも一端側にワイヤー接続部を設けたことを特徴とする管路内布設ケーブルの引抜き前処理治具。
【請求項２】
ワイヤー接続部が、筒体の半周以内の領域に周方向に間隔をあけて、一端につき２つ設けられていることを特徴とする請求項１記載の引抜き前処理治具。
【請求項３】
筒体のワイヤー接続部が設けられた半周以内の領域と反対側の領域の内周面に、両端から中央部に向かって盛り上がるスロープを設けたことを特徴とする請求項１又は２記載の引抜き前処理治具。
【請求項４】
管路内に布設されたケーブルを引き抜くのに先立って、管路の一端側で、請求項１〜３のいずれかに記載の治具のワイヤー接続部に前記管路内に通したワイヤーを接続すると共に、前記治具の筒体に前記ケーブルを挿通し、その後、管路の他端側で前記ワイヤーを牽引することにより前記治具を管路の一端側から他端側まで移動させ、これによって管路内面とケーブルの固着部分を解放することを特徴とする管路内布設ケーブル引抜き前処理工法。
【発明の詳細な説明】
【技術分野】
【０００１】
本発明は、管路内に布設されたケーブルを引き抜く前に、管路内面とケーブルの固着部分を解放するのに使用する管路内布設ケーブル引抜き前処理治具と、それを用いた管路内布設ケーブル引抜き前処理工法に関するものである。
【背景技術】
【０００２】
地下管路内に布設された電力ケーブルや通信ケーブルは、老朽化したり不具合が発生したりした場合には、管路内から撤去する必要がある。撤去方法は、管路の一端側でケーブルを牽引して引き抜くことになるが、管路内の残留物（堆積物等）よって管路内面とケーブルが固着していると、ケーブルの許容張力内の牽引力では、ケーブルを引き抜くことが不可能な場合が生じる。このような場合は、路面を掘削して管路とケーブルを一緒に撤去するか、管路内にケーブルを残置するしか方法がなく、いずれの方法も後工程に支障をきたすことになる。
【０００３】
この問題を解決するものとして、特許文献１には、管路とケーブルの固着部分を解放してから、ケーブルを引き抜く工法が開示されている。
【０００４】
【特許文献１】特開２００１−２２４１１２号公報
【発明の開示】
【発明が解決しようとする課題】
【０００５】
しかし、特許文献１に開示されている工法は、油圧ユニット、推進管、推進装置、切削ビットなどの大掛かりな作業機材が必要になり、コストがかかるという難点がある。
【０００６】
また、ケーブル布設管路は通常、公共道路の路盤の下に埋設され、適当距離毎にマンホールが設置されている。ケーブルの引抜き工事に際しては、路面にあるマンホール蓋をあけて、マンホールの中と外で作業をすることになるが、路上及びマンホール内の作業スペースには制限があるため、極力コンパクトな作業機材を使用することが望ましい。特許文献１の工法では作業機材が大掛かりになるため、作業スペースを確保することが困難である。
【０００７】
本発明の目的は、大掛かりな作業機材を使用することなく、管路内面とケーブルの固着部分を解放することができる管路内布設ケーブル引抜き前処理治具と、それを用いた管路内布設ケーブル引抜き前処理工法を提供することにある。
【課題を解決するための手段】
【０００８】
本発明に係る管路内布設ケーブル引抜き前処理治具は、管路内に挿入できる外径と、管路内に布設されたケーブルを挿通できる内径を有する筒体の少なくとも一端側にワイヤー接続部を設けたことを特徴とするものである。
【０００９】
本発明に係る治具は、ワイヤー接続部が、筒体の半周以内の領域に周方向に間隔をあけて、一端につき２つ設けられていることが好ましい。
【００１０】
また本発明に係る治具は、筒体のワイヤー接続部が設けられた半周以内の領域と反対側の領域の内周面に、両端から中央部に向かって盛り上がるスロープが設けられていることが、さらに好ましい。
【００１１】
また、本発明に係る管路内布設ケーブル引抜き前処理工法は、管路内に布設されたケーブルを引き抜くのに先立って、管路の一端側で、前記治具のワイヤー接続部に前記管路内に通したワイヤーを接続すると共に、前記治具の筒体に前記ケーブルを挿通し、その後、管路の他端側で前記ワイヤーを牽引することにより前記治具を管路の一端側から他端側まで移動させ、これによって管路内面とケーブルの固着部分を解放することを特徴とするものである。
【発明の効果】
【００１２】
本発明によれば、ケーブルを挿通した治具を管路内に引き通すだけで、管路内面とケーブルの固着部分を解放することができる。したがって大掛かりな装置を使用することなく、簡単に効率よく管路内面とケーブルの固着部分を解放して、ケーブルの引抜きを確実に行うことができる。また、マンホールの内外に設置する作業機材は、ワイヤーを引き取るウィンチ程度の小型なもので済むため、作業スペースの確保も容易である。また工期の短縮も可能である。
【発明を実施するための最良の形態】
【００１３】
図１は本発明に係る管路内布設ケーブル引抜き前処理治具の一実施形態を示す。この治具１０は、鋼製の筒体１２の両端にワイヤー接続部１４を設けたものである。筒体１２の管路内に挿入できる外径と、管路内に布設されたケーブルを挿通できる内径を有している。筒体１２の外径は管路の内半径より大きいことが好ましく、筒体１２の内径はケーブルを十分余裕をもって挿通できる大きさであることが好ましい。筒体１２の長さは管路の内径と同等かそれより若干長い程度でよい。
【００１４】
ワイヤー接続部１４は、ワイヤー接続用の穴１４ａを形成した鋼板片１４ｂを、筒体１２の端部に溶接することにより設けられている。鋼板片１４ｂは、筒体１２の内面に円弧状の介在片１６を溶接し、その介在片１６の内面に溶接することで、筒体１２に固定されている。ワイヤー接続部１４は、筒体１２の半周以内の領域に周方向に間隔をあけて、一端につき２つずつ設けられている。
【００１５】
また、筒体１２のワイヤー接続部１４が設けられた半周以内の領域と反対側の領域の内周面には、筒体１２の両端から中央部に向かって盛り上がるスロープ１８が設けられている。スロープ１８は、なだらかな山の形に成形した薄い鋼板を筒体１２の内面に溶接することにより形成されている。
【００１６】
図２は、図１の治具１０を用いた管路内布設ケーブル引抜き前処理工法の一実施形態を示す。地下の管路２０内に布設されたケーブル２２を引き抜こうとする場合、管路２０内の残留物２４（堆積物等）によって管路２０とケーブル２２が固着していて、引き抜けないことがある。治具１０は、このような場合にケーブルの引抜き作業を行う前に使用される。
【００１７】
まず、管路２０内に牽引用のワイヤー２６を通し、管路の一端側（通常はマンホール内）で、前記ワイヤー２６の牽引方向後端側に治具１０の一端側のワイヤー接続部１４を接続すると共に、治具１０の筒体１２にケーブル２２を挿通する。ワイヤー接続部１４とワイヤー２６との接続は、汎用の接続金具（図示せず）を介して行われる。
【００１８】
その後、管路２０の他端側で、ワイヤー２６を矢印Ｐ方向に牽引すると、治具１０が、筒体１２内にケーブル２２を挿通したまま管路２０内を移動する（ケーブル２２は移動しない）。治具１０が、管路２０とケーブル２２が残留物２４により固着した位置にくると、ワイヤー２６の牽引力で筒体１２が管路２０とケーブル２２の間に食い込んで、固着部分を引き剥がすように作用する。このため、管路とケーブルの固着部分を容易に解放することができる。このようにして、治具１０を管路２０の一端側から他端側まで移動させれば、管路とケーブルの固着部分はなくなるので、その後、ケーブルを牽引すれば、容易に引き抜くことができる。
【００１９】
図１（Ｂ）、（Ｄ）に示したように、筒体１２の内面にスロープ１８を設けておくと、ケーブル２２がスロープ１８によって持ち上げられるため、筒体１２が管路２０とケーブル２２の間に食い込みやすくなり、固着部分の解放をよりスムーズに行うことができる。
【００２０】
また、ワイヤー接続部１４を筒体１２の一端につき２つ設けておくと、ワイヤー２６で治具１０を引っ張ったときに治具１０の回転が抑制され、ワイヤー接続部１４とケーブル２２の干渉を防止できる。
【００２１】
また、２つのワイヤー接続部１４を筒体１２の半周以内の領域に設けておくと、他の半周の領域が管路２０とケーブル２２の間に入り込むので、管路とケーブルの引き剥がしをより確実に行うことができる。
【００２２】
また、２つのワイヤー接続部１４を筒体１２の半周以内の領域に設けておくと、治具１０が図３に示すように前のめりの状態で移動するようになるので、この点からも、管路とケーブルの引き剥がしをより確実に行うことができる。
【００２３】
なお、この実施形態では、治具１０の後端側のワイヤー接続部１４にもワイヤー２８を接続したが、このワイヤー２８は、先端側のワイヤー２６の牽引では管路とケーブルの固着部分がどうしても解放できないときに、あるいは必要に応じて、治具１０を元の位置又は任意の位置に引き戻すためのものである。
【図面の簡単な説明】
【００２４】
【図１】本発明に係る管路内布設ケーブル引抜き前処理治具の一実施形態を示す、（Ａ）は平面図、（Ｂ）は正面図、（Ｃ）は側面図、（Ｄ）は（Ｂ）のＤ−Ｄ線断面図。
【図２】本発明に係る管路内布設ケーブル引抜き前処理工法の一実施形態を示す、（Ａ）は管路切開側面図、（Ｂ）は管路切開平面図。
【図３】図２の実施形態における治具の傾き状態を示す説明図。
【符号の説明】
【００２５】
１０：管路内布設ケーブル引抜き前処理治具
１２：筒体
１４：ワイヤー接続部
１６：介在片
１８：スロープ
２０：管路
２２：ケーブル
２４：残留物
２６：ワイヤー
【図１】
2007215284.tif 000003
【図２】
2007215284.tif 000004
【図３】
2007215284.tif 000005